(57)【要約】【課題】電力供給事業者が供給可能な最大電力を超えないように電力の需要のピークを制御しつつ、ピーク時以外などでは各施設の電力消費の制限を緩やかにして需要家に電力の利用を促すことができる電力制御システムを提供する。【解決手段】電力制御システムにおいて、遮断制御装置１０は、系統が施設の負荷へ供給する電力に関する電力情報を取得する。遮断制御装置１０は、電力供給事業者１００から、電力情報と比較するための電力閾値情報１６２を受信して、電力閾値情報１６２と電力情報とを比較する。遮断制御装置１０は、比較結果に応じて、閾値を超える超過時間が猶予時間に達するまで、蓄電池から放電させ、電気負荷の消費電力を低減させることで系統の送配電網の負荷を軽減する。【選択図】図４
2016073003.tif 000002
【特許請求の範囲】
【請求項１】
負荷への電力の供給を制御するための電力制御システムであって、
系統からの電力を前記負荷へ供給するように構成された電力供給手段と、
前記負荷に対応して設置され、系統から前記負荷へ電力を供給または遮断するように構成された遮断制御装置とを備え、
前記遮断制御装置は、
外部の通信装置と通信するための通信部と、
系統から前記負荷へ供給する電力に関する閾値を示す閾値情報を記憶するための記憶部と、
前記遮断制御装置の動作を制御する制御部とを備え、
前記制御部は、
前記外部の通信装置と通信することにより、前記外部の通信装置から前記閾値情報を受信して前記記憶部に記憶させる閾値情報更新部と、
系統から前記負荷へ供給される電力の大きさに関する電力情報を取得して、取得した前記電力情報と、前記記憶される前記閾値情報とを比較することにより、系統から前記負荷へ供給される電流または電圧の少なくともいずれかが前記閾値を超えるか否かを判定する判定部と、
前記判定部の判定結果に基づいて、系統から前記負荷へ電力を供給または遮断する遮断制御部とを含む、電力制御システム。
【請求項２】
前記遮断制御装置の前記記憶部は、系統から前記負荷へ供給される電流または電圧の少なくともいずれかが前記閾値を超える場合に、系統から前記負荷への電力を遮断するまでの期間を示す猶予時間情報と、前記閾値情報とを対応付けて記憶するよう構成されており、
前記制御部の前記閾値情報更新部は、前記外部の通信装置から、前記閾値情報に対応付けられる前記猶予時間情報を受信して前記記憶部に記憶させるよう構成されており、
前記遮断制御部は、前記判定部により、系統から前記負荷へ供給される電流または電圧の少なくともいずれかが前記閾値を超えると判定された場合に、前記閾値を超えると判定される期間を示す超過期間を計測し、計測される前記超過期間と、前記閾値を示す前記閾値情報に対応付けられる前記猶予時間情報とを比較して、計測される前記超過期間が前記猶予時間情報に達した場合に、系統から前記負荷への電力を遮断するよう構成されている、請求項１に記載の電力制御システム。
【請求項３】
前記電力制御システムは、電力の供給を受けて充電され、充電された電力を放電により前記負荷へ供給するように構成された蓄電池を含み、
前記遮断制御装置の前記制御部は、
前記判定部により、系統から前記負荷へ供給される電流または電圧の少なくともいずれかが前記閾値を超えると判定された場合に、前記計測される前記超過期間と、前記猶予時間情報とを比較して、計測される前記超過期間が前記猶予時間情報に達していない場合に、前記蓄電池の充電電力を前記負荷へ供給させるよう構成された放電制御部をさらに含む、請求項２に記載の電力制御システム。
【請求項４】
負荷に対応して設置され、系統から前記負荷へ電力を供給または遮断するように構成された遮断制御装置であって、
前記遮断制御装置は、前記負荷に対応して設置され、系統から前記負荷へ電力を供給または遮断するように構成されており、
外部の通信装置と通信するための通信部と、
系統から前記負荷へ供給する電力に関する閾値を示す前記閾値情報を記憶するための記憶部と、
前記遮断制御装置の動作を制御する制御部とを備え、
前記制御部は、前記外部の通信装置と通信することにより、前記外部の通信装置から前記閾値情報を受信して前記記憶部に記憶させる閾値情報更新部と、
系統から前記負荷へ供給される電力の大きさに関する電力情報を取得して、取得した前記電力情報と、前記記憶される前記閾値情報とを比較することにより、系統から前記負荷へ供給される電流または電圧の少なくともいずれかが前記閾値を超えるか否かを判定する判定部と、
前記判定部の判定結果に基づいて、系統から前記負荷へ電力を供給または遮断する遮断制御部とを含む、遮断制御装置。
【請求項５】
負荷への電力の供給を制御するための電力制御の方法であって、
系統からの電力を前記負荷へ供給するステップと、
外部の通信装置と通信することにより、前記外部の通信装置から、系統から前記負荷へ供給する電力に関する閾値を示す閾値情報を受信して記憶部に記憶させるステップと、
系統から前記負荷へ供給される電力の大きさに関する電力情報を取得して、取得した前記電力情報と、前記記憶される前記閾値情報とを比較することにより、系統から前記負荷へ供給される電流または電圧の少なくともいずれかが前記閾値を超えるか否かを判定するステップと、
判定結果に基づいて、系統から前記負荷へ電力を供給または遮断するステップとを含む、方法。
【発明の詳細な説明】
【技術分野】
【０００１】
本開示は、電力制御に関し、より特定的には、住宅などの施設に供給される電力を制御して、電力会社などの電力供給事業者が供給する電力と、複数の施設それぞれで消費される消費電力との需給バランスを制御する電力制御システム、方法および各施設に設置される遮断制御装置に関する。
【背景技術】
【０００２】
近年、電力の供給を受ける需要家のエネルギー消費を制御するため、例えばＨＥＭＳ（Home  Energy  Management  System）などのシステムが普及しつつある。例えば、需要家の施設に蓄電池や太陽電池を設置し、パワーコンディショナが、系統から施設の負荷への電力の供給、蓄電池の充放電、太陽電池が発電する電力の負荷への供給または売電を制御する。これにより、需要家にとっては系統から供給される電力の消費量を抑えて電力料金の低減を図ることができ、発電所や変電所を有する電力供給事業者（電力会社）にとっても、送配電網の負荷を平準化させて電力の供給を安定させることができる。
【０００３】
電力料金の低減化を図る技術として、例えば、特開２００４−４８９８２号公報は、電力量料金が比較的安価な時間帯に二次電池を充電し、その時間帯外に二次電池から放電させる技術を記載している。これにより、電力使用契約の契約超過金を抑制し、契約電力の変更を回避することができ、電力料金の低減を図ることができる。
【先行技術文献】
【特許文献】
【０００４】
【特許文献１】特開２００４−４８９８２号公報
【発明の概要】
【発明が解決しようとする課題】
【０００５】
特許文献１に記載の技術は、電力量料金が比較的安価な時間帯に蓄電池へ充電することで電力料金を安価にしているが、電力の需要家にとっては、さらなる電力料金の低減を実現できることが望ましい。また、電力供給事業者（電力会社）にとっても、電力の需要のピークを平準化させて、電力供給事業者が供給可能な最大電力を超えないように電力の需要のピークを制御しつつ、各施設で電力が利用されることが望ましい。しかし、単にピーク時の電力に制限値を設けるに留まると、電力の需要家の電力消費をも減らすこととなりうるため、電力の利用量が減りうる。したがって、複数の施設への電力の供給を制御して、需要家と電力供給事業者の双方の要請に応えることが可能な電力制御システムが必要とされている。
【課題を解決するための手段】
【０００６】
（１）一実施形態に従う電力制御システムは、負荷への電力の供給を制御するためのものである。電力制御システムは、系統からの電力を負荷へ供給するように構成された電力供給手段と、負荷に対応して設置され、系統から負荷へ電力を供給または遮断するように構成された遮断制御装置とを備え、遮断制御装置は、外部の通信装置と通信するための通信部と、系統から負荷へ供給する電力に関する閾値を示す閾値情報を記憶するための記憶部と、遮断制御装置の動作を制御する制御部とを備え、制御部は、外部の通信装置と通信することにより、外部の通信装置から閾値情報を受信して記憶部に記憶させる閾値情報更新部と、系統から負荷へ供給される電力の大きさに関する電力情報を取得して、取得した電力情報と、記憶される閾値情報とを比較することにより、系統から負荷へ供給される電流または電圧の少なくともいずれかが閾値を超えるか否かを判定する判定部と、判定部の判定結果に基づいて、系統から負荷へ電力を供給または遮断する遮断制御部とを含む。
【０００７】
（２）一実施形態によると、遮断制御装置の記憶部は、系統から負荷へ供給される電流または電圧の少なくともいずれかが閾値を超える場合に、系統から負荷への電力を遮断するまでの期間を示す猶予時間情報と、閾値情報とを対応付けて記憶するよう構成されており、制御部の閾値情報更新部は、外部の通信装置から、閾値情報に対応付けられる猶予時間情報を受信して記憶部に記憶させるよう構成されており、遮断制御部は、判定部により、系統から負荷へ供給される電流または電圧の少なくともいずれかが閾値を超えると判定された場合に、前記閾値を超えると判定される期間を示す超過期間を計測し、計測される超過期間と、閾値を示す閾値情報に対応付けられる猶予時間情報とを比較して、計測される超過期間が猶予時間情報に達した場合に、系統から負荷への電力を遮断するよう構成されている。
【０００８】
（３）一実施形態によると、電力制御システムは、電力の供給を受けて充電され、充電された電力を放電により負荷へ供給するように構成された蓄電池を含み、遮断制御装置の制御部は、判定部により、系統から負荷へ供給される電流または電圧の少なくともいずれかが閾値を超えると判定された場合に、計測される超過期間と、猶予時間情報とを比較して、計測される超過期間が猶予時間情報に達していない場合に、蓄電池の充電電力を負荷へ供給させるよう構成された放電制御部をさらに含む。
【０００９】
（４）一実施形態によると、遮断制御装置の制御部は、判定部により、系統から負荷へ供給される電流または電圧の少なくともいずれかが閾値を超えると判定された場合に、計測される超過期間と、猶予時間情報とを比較して、計測される超過期間が猶予時間情報に達していない場合に、負荷の消費電力を抑制させるための制御信号を出力する抑制制御部をさらに含む。
【００１０】
（５）一実施形態によると、判定部により、系統から負荷へ供給される電流または電圧の少なくともいずれかが閾値を超えると判定された場合に、計測される超過期間と、猶予時間情報とを比較して、計測される超過期間が猶予時間情報に達していない場合に、蓄電池の充電電力を負荷へ供給させるよう構成された放電制御部をさらに含み、抑制制御部は、計測される超過期間が猶予時間情報に示される期間の一定割合に達した場合に、負荷の消費電力を抑制させるための制御信号を出力するよう構成されている。
【００１１】
（６）一実施形態によると、制御部は、放電制御部により蓄電池の充電電力を負荷へ供給している場合に、閾値情報更新部が閾値情報を受信し、判定部が、受信にかかる閾値情報と、取得した電力情報とを比較することにより、系統から負荷へ供給される電流または電圧の少なくともいずれかが閾値を超えるか否かを判定し、放電制御部が、判定部の判定結果において電流または電圧のいずれもが閾値を超えないと判定された場合に、負荷への蓄電池の放電を停止するように構成されている。
【００１２】
（７）一実施形態によると、制御部は、抑制制御部により負荷の消費電力を抑制させるための制御信号を外部の装置へ出力している場合に、閾値情報更新部が閾値情報を受信し、判定部が、受信にかかる閾値情報と、取得した電力情報とを比較することにより、系統から負荷へ供給される電流または電圧の少なくともいずれかが閾値を超えるか否かを判定し、抑制制御部が、判定部の判定結果において電流または電圧のいずれもが閾値を超えないと判定された場合に、負荷の消費電力を抑制させるための制御信号の出力を停止するように構成されている。
【００１３】
（８）一実施形態によると、制御部は、遮断制御部により、系統から負荷への電力を遮断している場合に、閾値情報更新部が閾値情報を受信し、判定部が、受信にかかる閾値情報と、取得した電力情報とを比較することにより、系統から負荷へ供給される電流または電圧の少なくともいずれかが閾値を超えるか否かを判定し、遮断制御部が、判定部の判定結果において電流または電圧のいずれもが閾値を超えないと判定された場合に、系統から負荷への電力供給を復帰させるように構成されている。
【００１４】
（９）別の実施形態に従うと、負荷に対応して設置され、系統から負荷へ電力を供給または遮断するように構成された遮断制御装置が提供される。遮断制御装置は、負荷に対応して設置され、系統から負荷へ電力を供給または遮断するように構成されており、外部の通信装置と通信するための通信部と、系統から負荷へ供給する電力に関する閾値を示す閾値情報を記憶するための記憶部と、遮断制御装置の動作を制御する制御部とを備え、制御部は、外部の通信装置と通信することにより、外部の通信装置から閾値情報を受信して記憶部に記憶させる閾値情報更新部と、系統から負荷へ供給される電力の大きさに関する電力情報を取得して、取得した電力情報と、記憶される閾値情報とを比較することにより、系統から負荷へ供給される電流または電圧の少なくともいずれかが閾値を超えるか否かを判定する判定部と、判定部の判定結果に基づいて、系統から負荷へ電力を供給または遮断する遮断制御部とを含む。
【００１５】
（１０）別の実施形態に従うと、負荷への電力の供給を制御するための電力制御の方法が提供される。この方法は、系統からの電力を負荷へ供給するステップと、外部の通信装置と通信することにより、外部の通信装置から、系統から負荷へ供給する電力に関する閾値を示す閾値情報を受信して記憶部に記憶させるステップと、系統から負荷へ供給される電力の大きさに関する電力情報を取得して、取得した電力情報と、記憶される閾値情報とを比較することにより、系統から負荷へ供給される電流または電圧の少なくともいずれかが閾値を超えるか否かを判定するステップと、判定結果に基づいて、系統から負荷へ電力を供給または遮断するステップとを含む。
【発明の効果】
【００１６】
一実施形態によると、電力制御システムにおいて、系統から負荷への電力を遮断するか否かを判定するための閾値を、外部の通信装置から取得することができ、例えば電力供給事業者が電力の需給に応じて各施設で利用可能な電力を変更することができる。例えば各施設のピーク電力に制限値を設けつつ、電力供給事業者が電力制御システムに対し、ピーク時以外の制限値を緩やかにするよう閾値情報を送信することができる。
【００１７】
これにより、電力供給事業者にとっては、電力供給事業者が供給可能な最大電力を超えないように電力の需要のピークを制御しつつ、ピーク時以外では各施設の電力消費の制限を緩やかにして電力の利用を促すことができる。また、需要家にとっても、例えば電気料金を比較的安価に設定している代わりにピーク電力に制限がある電力供給事業者と契約すること等により、電力料金を低減させつつ、電力供給事業者の制御に応じて、電力をより多く利用することができる。
【００１８】
この発明の上記および他の目的、特徴、局面および利点は、添付の図面と関連して理解されるこの発明に関する次の詳細な説明から明らかとなるであろう。
【図面の簡単な説明】
【００１９】
【図１】実施の形態１の電力制御システムの構成を概略的に示す図である。
【図２】電力制御システム１に含まれる遮断制御装置１０の構成を示すブロック図である。
【図３】電力供給事業者１００に記憶される電力閾値テーブル１６０のデータ構造を示す図である。
【図４】遮断制御装置１０が、電力供給事業者１００から受信する閾値の情報に基づき、系統から電気負荷へ供給される電力の供給または遮断を行うための処理を示すフローチャートである。
【図５】系統からの電力が閾値を超えた場合に、蓄電池８３０から電気負荷へ放電することで、系統からの電力を閾値以下に抑える例を示す図である。
【図６】系統からの電力が閾値を超えた場合に、蓄電池８３０から電気負荷へ放電し、家電機器８００等の負荷を抑制することで、系統からの電力を閾値以下に抑える例を示す図である。
【図７】系統からの電力が閾値を超えた場合に、施設２０Ａにおける消費電力を系統からの電力によってまかなうことができず、通電を遮断する例を示す図である。
【図８】実施の形態２における記憶部１０６に記憶される電力閾値テーブル１６０のデータ構造を示す図である。
【図９】複数の閾値を用いて、系統から電気負荷へ供給される電力の供給または遮断を行うための処理を示すフローチャートである。
【図１０】実施の形態３の電力制御システム２を構成する遮断制御装置１１および電子ブレーカ１２を示すブロック図である。
【図１１】実施の形態４の遮断制御装置１０が、家電機器８００の負荷を抑制する処理と、ユーザに対する報知を行う処理とを示すフローチャートである。
【図１２】実施の形態５の遮断制御装置１０が、家電機器８００の負荷の抑制量を推定し、推定結果に基づいて、ユーザに対する報知を行う処理を示すフローチャートである。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜実施の形態１＞
図１は、実施の形態１の電力制御システムの構成を概略的に示す図である。電力供給事業者１００は、複数の施設（図１の例では、複数の施設のうちの１の施設として施設２０Ａを示す）への電力の供給を制御する。電力供給事業者１００は、発電所が供給することができる電力の情報（供給可能電力情報）を受信して、発電所が供給可能な最大電力を超えないように、系統電力を各施設へ供給する。施設２０Ａは、例えば、一般家庭の建屋である。施設としては、一般家庭に限らず、例えば、ショッピングモールなどの商業施設、工場など様々なものがあり、施設によって、電力の需要量が異なる。図１に示すように、施設２０Ａには、太陽電池モジュール８１０と、パワーコンディショナ８２０と、蓄電池８３０と、遮断制御装置１０と、多回路ＣＴ（Current  Transformer）センサ８７０と、家電機器８００と、タップ８８０とが設置されている。施設２０Ａに設置されるパワーコンディショナ８２０および蓄電池８３０は、他の施設にも設置されている。すなわち、パワーコンディショナ８２０および蓄電池８３０等の機器は、電力供給事業者１００が管理する複数の施設のそれぞれに設置される。
【００２２】
電力制御システムは、パワーコンディショナ８２０と、蓄電池８３０と、遮断制御装置１０とを含んで構成される。電力制御システムは、家電機器８００など、施設２０Ａに設置される機器等の電気負荷への電力の供給を制御するためのものである。遮断制御装置１０は、通信機能を有しており、電力供給事業者１００の情報処理装置など、外部の通信装置と通信する。インターネット９００に接続されている。
【００２３】
各施設に設置される装置について、建屋である施設２０Ａを例にして説明する。建屋には、屋外の屋根部分に、複数の太陽電池モジュールを含む太陽電池モジュール８１０が配置されている。パワーコンディショナ８２０、蓄電池８３０も屋外に配置されている。建屋の屋内には、遮断制御装置１０、多回路ＣＴセンサ８７０、複数の家電機器（エアコンディショナ８０１、空気清浄機８０２、冷蔵庫８０３および洗濯機８０４など）を含み、施設２０Ａにおける電気負荷となる家電機器８００、およびタップ８８０が配置されている。
【００２４】
電力供給事業者１００は、大容量の記憶装置を備えるコンピュータシステムを有しており、天候データ、各施設の消費電力の実績値その他の情報を他の通信機器から取得して、各施設の消費電力および各施設に設置される太陽電池モジュールの発電量などを予測する。また、電力供給事業者１００は、発電所が供給することができる電力の情報を受信して、発電所の供給可能な電力を超えないように、逐次、系統から各施設の電気負荷へ供給する電力の閾値を決定し、決定した閾値を示す電力閾値情報を、各施設に送信する。また、電力供給事業者１００は、各施設において系統から各施設の電気負荷へ供給される電力が各施設の閾値を超える場合において、閾値を超える期間を示す超過期間と比較するための猶予時間を各施設について決定する。電力供給事業者１００は、決定した猶予時間を示す猶予時間情報を、各施設に送信する。
【００２５】
猶予時間について説明すると、施設２０Ａ等の各施設には、通常、系統の送配電網に過剰な負荷がかからないよう、契約電力に基づき、定格値を超える電流が流れる場合に、系統から各施設の電気負荷への電力の供給を遮断するためのブレーカ装置が設置されている。ブレーカ装置は、通常、定格電流を超える電流が流れる場合においても、直ちに通電を遮断するのではなく、規定時間以内に通電遮断動作を行うことが日本工業規格（ＪＩＳ（Japanese  Industrial  Standards））等によって規定されている。
【００２６】
したがって、施設において、定格値を超える電流が流れる場合に、規定時間以内であれば、通電が継続されてもよい。そのため、施設２０Ａにおいて、規定時間の間に、電流が定格電流を超えないように蓄電池８３０の充電電力を放電することで、電力の需要家は、系統の送配電網に負荷をかけすぎないようにしつつ、系統から供給される電力を有効に利用することができる。実施の形態１では、遮断制御装置１０は、家電機器８００等の電気負荷に対応して設置され、系統から家電機器８００等の電気負荷へ電力を供給または遮断するように構成されている。
【００２７】
ＣＴセンサ８７０は、設置対象の機器の消費電力を測定し、測定した消費電力のデータを外部の装置（図１の例では、遮断制御装置１０）へ送信する。実施の形態１では、ＣＴセンサ８７０は、ブレーカ装置としても機能する遮断制御装置１０の主幹ブレーカと分岐ブレーカとに接続することができる。ＣＴセンサ８７０を遮断制御装置１０の主幹ブレーカに接続した場合、ＣＴセンサ８７０は、施設２０Ａにおける全体の消費電力を測定する。また、分岐ブレーカが部屋全体に対応したものであると、ＣＴセンサ８７０を遮断制御装置１０の分岐ブレーカに接続することで、ＣＴセンサ８７０は、部屋全体の消費電力を測定する。
【００２８】
タップ８８０は、図示しないプラグを備え、建屋内のコンセントと接続する。タップ８８０に接続される家電機器８００（図１の例では、エアコンディショナ８０１、空気清浄機８０２、冷蔵庫８０３および洗濯機８０４などを示す）は、タップ８８０とコンセントとが接続されることで、ブレーカ装置としても機能する遮断制御装置１０からの給電を受ける。タップ８８０は、家電機器８００の消費電力を測定する消費電力測定器であり、消費電力の測定結果を、施設２０Ａに設置されるルータまたは遮断制御装置１０等の機器に対して無線通信によって送信する。
【００２９】
パワーコンディショナ８２０には、蓄電池８３０と、太陽電池モジュール８１０とが接続されている。パワーコンディショナ８２０は、系統からの電力を、蓄電池８３０および遮断制御装置１０へ供給する。パワーコンディショナ８２０は、太陽電池モジュール８１０で発電された直流電力を、施設で使用できる交流電力に変換する機能を有しており、太陽電池モジュール８１０で発電された電力を、建屋の遮断制御装置１０または蓄電池８３０へ供給し、また、太陽電池モジュール８１０で発電された電力を、電力量計を通じて外部に売電する。また、パワーコンディショナ８２０は、蓄電池８３０への充電および蓄電池８３０からの放電を制御する。
【００３０】
蓄電池８３０は、パワーコンディショナ８２０の制御により電力が供給されて充電され、充電された電力を、放電により、負荷８００等の電気負荷へ供給する。
【００３１】
＜電力制御システム１の構成＞
図２は、電力制御システム１に含まれる遮断制御装置１０の構成を示すブロック図である。遮断制御装置１０は、通電電流を電子的に監視して通電遮断を行う電子ブレーカとしての機能を発揮する。また、遮断制御装置１０は、蓄電池８３０を放電させ、家電機器８００等の消費電力を抑制することで系統の送配電網の負荷を軽減させる機能を発揮する。
【００３２】
図２を参照して、遮断制御装置１０は、通信部１０２、入出力Ｉ／Ｆ（Interface）１０３、入出力Ｉ／Ｆ１０４および入出力Ｉ／Ｆ１０５等の複数の入出力部と、記憶部１０６と、制御部１０７と、報知部１０９と、バイメタル遮断回路２０１と、電力センサ２０２と、電磁遮断回路２０３とを含む。バイメタル遮断回路２０１と、電力センサ２０２と、電磁遮断回路２０３とは、通電路上に直列に配置されている。
【００３３】
バイメタル遮断回路２０１は、通電路を流れる電流をバイメタルによって熱エネルギーとして検知することにより、過負荷状態に至った場合にパワーコンディショナ８２０からの通電を遮断する。バイメタル遮断回路２０１の遮断特性は、制御部１０７の制御による電磁遮断回路２０３の遮断特性に比べて大きく設定しており、電磁遮断回路２０３による通電の遮断がなされる前にバイメタル遮断回路２０１が作動することを防止している。
【００３４】
電力センサ２０２は、３個の変成器を通電路にそれぞれ接続することにより形成され、通電路を流れる電流に応じた検知信号を取り出す回路である。電力センサ２０２は、取り出した検知信号を制御部１０７へ出力する。
【００３５】
電磁遮断回路２０３は、制御部１０７の制御に従って動作し、電磁力によって機械的なラッチを解除して通電を遮断する回路である。
【００３６】
通信部１０２は、電力供給事業者１００が他の通信機器と信号を送受信するための変復調処理などを行う通信インタフェースである。遮断制御装置１０は、通信部１０２を介して、電力供給事業者１００などの外部の通信機器と通信し、電力供給事業者１００から信号を受信する。また、遮断制御装置１０は、通信部１０２を介してタップ８８０と通信し、タップ８８０が測定する家電機器８００の消費電力の情報（消費電力測定情報）を受信し、記憶部１０６に消費電力履歴情報１６３として記憶する。
【００３７】
記憶部１０６は、ＲＡＭ（Random  Access  Memory）等により構成され、遮断制御装置１０が使用するプログラムを記憶し、遮断制御装置１０が使用する各種のデータを蓄積する。ある局面において、記憶部１０６は、猶予時間情報１６１と、電力閾値情報１６２とを対応付けて記憶する。猶予時間情報１６１は、系統から施設２０Ａの電気負荷（家電機器８００等）へ供給される電流または電圧の少なくともいずれかが、電力閾値情報１６２に示される閾値を超える場合に、系統から施設２０Ａの電気負荷への電力を遮断するまでの期間（猶予時間）を示す情報である。電力閾値情報１６２は、系統から施設２０Ａの電気負荷へ供給する電力に関する閾値を示す情報である。消費電力履歴情報１６３は、タップ８８０によって測定された、家電機器８００の各家電機器の消費電力の履歴を示す情報である。
【００３８】
制御部１０７は、記憶部１０６に記憶される制御プログラムを読み込んで実行することにより、電力供給事業者１００の動作を制御する。制御部１０７は、例えばプロセッサにより実現される。制御部１０７は、プログラムに従って動作することにより、閾値情報更新部１７１と、閾値超過判定部１７２と、遮断制御部１７３と、放電制御部１７４と、抑制制御部１７５としての機能を発揮する。
【００３９】
閾値情報更新部１７１は、電力供給事業者１００と通信することにより、電力供給事業者１００から電力閾値情報１６２を受信して記憶部１０６に記憶させる。閾値情報更新部１７１は、電力供給事業者１００から、電力閾値情報１６２に対応付けられる猶予時間情報１６１を受信して記憶部１０６に記憶させるよう構成されている。
【００４０】
閾値超過判定部１７２は、系統から施設２０Ａの電気負荷へ供給される電力の大きさに関する電力情報を取得して、取得した電力情報と、記憶される電力閾値情報１６２とを比較することにより、系統から施設２０Ａの電気負荷へ供給される電流または電圧の少なくともいずれかが閾値を超えるか否かを判定する。すなわち、閾値超過判定部１７２は、遮断制御装置１０が電力供給事業者１００から電力閾値情報１６２を受信して記憶部１０６の記憶内容が更新されると、電力情報と、電力閾値情報１６２とを比較することにより判定を行う。
【００４１】
遮断制御部１７３は、閾値超過判定部１７２の判定結果に基づいて、系統から施設２０Ａの電気負荷へ電力を供給または遮断する。遮断制御部１７３は、閾値超過判定部１７２により、系統から施設２０Ａの電気負荷へ供給される電流または電圧の少なくともいずれかが閾値を超えると判定された場合に、閾値を超える超過期間を計測し、計測される超過期間と、閾値を示す電力閾値情報１６２に対応付けられる猶予時間情報１６１とを比較して、計測される超過期間が猶予時間情報１６１に達した場合に、系統から施設２０Ａの電気負荷への電力を遮断する。
【００４２】
放電制御部１７４は、閾値超過判定部１７２により、系統から施設２０Ａの電気負荷へ供給される電流または電圧の少なくともいずれかが閾値を超えると判定された場合に、計測される超過期間と、猶予時間情報１６１とを比較して、計測される超過期間が猶予時間情報１６１に達していない場合に、蓄電池８３０の充電電力を施設２０Ａの電気負荷へ供給させる。放電制御部１７４は、閾値超過判定部１７２の判定結果において電流または電圧のいずれもが閾値を超えないと判定された場合に、施設２０Ａの電気負荷への蓄電池８３０の放電を停止する。
【００４３】
抑制制御部１７５は、閾値超過判定部１７２により、系統から施設２０Ａの電気負荷へ供給される電流または電圧の少なくともいずれかが閾値を超えると判定された場合に、計測される超過期間と、猶予時間情報１６１とを比較して、計測される超過期間が猶予時間情報１６１に達していない場合に、施設２０Ａの電気負荷の消費電力を抑制させるための制御信号を出力する。具体的には、抑制制御部１７５は、施設２０Ａの電気負荷の消費電力を抑制させるため、家電機器８００に対し、消費電力を低減させる指示を含む制御信号を送信する。また、抑制制御部１７５は、施設２０Ａの電気負荷の消費電力を抑制させるため、報知部１０９に発光、音声出力等の報知処理を行わせて、ユーザに対し、電気負荷の消費電力を低減させることを促す。抑制制御部１７５は、消費電力履歴情報１６３に基づいて、家電機器８００のうち消費電力が比較的大きな家電を特定し、効率的に家電機器８００の消費電力を低減させられるため、どの家電機器の電源をオフにするか、また、どの家電機器の動作の状態を変更するとよいかを報知部１０９のモニタ等への表示によってユーザに報知することができる。また、抑制制御部１７５は、消費電力履歴情報１６３に基づいて、家電機器８００の過去の消費電力の履歴を参照することにより、各家電機器の動作状態ごとの消費電力を予測する。抑制制御部１７５は、予測結果に基づいて、どの家電機器の電源をオフにするか、また、どの家電機器の動作の状態を変更するとよいかを報知部１０９によってユーザに報知することができる。報知部１０９は、ＬＥＤ（Light  Emitting  Diode）、スピーカ、モニタその他の装置を備え、視覚的および聴覚的な手段によりユーザに対し情報を通知する。抑制制御部１７５は、閾値超過判定部１７２の判定結果において電流または電圧のいずれもが閾値を超えないと判定された場合に、施設２０Ａの電気負荷の消費電力を抑制させるための制御信号の出力を停止する。
【００４４】
＜データ構造＞
図３は、電力供給事業者１００に記憶される電力閾値テーブル１６０のデータ構造を示す図である。電力閾値テーブル１６０は、猶予時間情報１６１と、電力閾値情報１６２とを対応付けた情報である。
【００４５】
図３を参照して、記憶部１０６は、猶予時間情報１６１と電力閾値情報１６２との組を、施設２０Ａにおける電力の需要がピークではない時を示す項目「通常時」（猶予時間情報１６１Ａと電力閾値情報１６２Ａとの組）と、電力の需要がピーク時である場合の項目「電力ピーク時」（猶予時間情報１６１Ｂと電力閾値情報１６２Ｂとの組）と、特に電力制御システム１における電力のピークカットが必要となる場合の項目「緊急ピーク時」（猶予時間情報１６１Ｃと電力閾値情報１６２Ｃとの組）とのそれぞれについて記憶している。項目「緊急ピーク時」は、例えば、電力供給事業者１００が供給可能な電力の最大量に、電力供給事業者１００が管理する各施設の消費電力が近づいており、電力の需給バランスがひっ迫している状況などである。図３に示すように、項目「電力ピーク時」と項目「通常時」とを比較して、項目「電力ピーク時」において、電力の需要家は、系統から負荷へ供給される電力の閾値を、項目「通常時」と比べて低く設定されている。すなわち、電力制御システム１は、電力閾値情報１６２の閾値の設定により、ピークカットを実現しつつ、ピーク時以外では、電力の需要家に、より多くの電力の利用を可能としている。
【００４６】
＜動作＞
図４から図７を参照して、実施の形態１の電力制御システム１の動作について説明する。
【００４７】
図４は、遮断制御装置１０が、電力供給事業者１００から受信する閾値の情報に基づき、系統から電気負荷へ供給される電力の供給または遮断を行うための処理を示すフローチャートである。遮断制御装置１０は、電力供給事業者１００から、猶予時間情報１６１および電力閾値情報１６２を受信して、これら情報を対応付けて記憶している。
【００４８】
ステップＳ４０１において、制御部１０７は、電力センサ２０２の出力結果（通電電流値）および多回路ＣＴセンサ８７０の出力結果（出力電圧値）を受けて、系統から施設２０Ａの電気負荷へ供給される電力の大きさを計算する。これにより、制御部１０７は、系統から施設２０Ａの電気負荷へ供給される電力の大きさに関する電力情報を取得する。制御部１０７は、記憶部１０６から読み出した電力閾値情報１６２と、計算により取得した電力情報とを比較し、系統からの電力が、電力閾値情報１６２に示される閾値を超過しているか否かを判断する。ステップＳ４０１において、系統からの電力が閾値を超過している場合（ステップＳ４０１においてＹＥＳ）、制御部１０７は、ステップＳ４０３の処理を行い、そうでない場合（ステップＳ４０１においてＮＯ）、ステップＳ４４１の処理を行う。
【００４９】
ステップＳ４０３において、制御部１０７は、記憶部１０６から、電力閾値情報１６２と対応付けられた猶予時間情報１６１を読み出して、読み出した猶予時間情報１６１と、系統からの電力が閾値を超過している時間を示す超過時間ｔとを読み出す。
【００５０】
ステップＳ４０５において、制御部１０７は、超過時間ｔが、猶予時間情報１６１に示される猶予時間より小さいか否かを判断する。制御部１０７は、超過時間ｔが、猶予時間より小さい場合（ステップＳ４０５においてＹＥＳ）、ステップＳ４２１の処理を行い、そうでない場合（ステップＳ４０５においてＮＯ）、ステップＳ４０７の処理を行う。
【００５１】
ステップＳ４０７において、制御部１０７は、遮断制御部１７３の処理により電磁遮断回路２０３へ制御信号を送出して、電磁遮断回路２０３による電力の遮断を行う。
【００５２】
ステップＳ４０９において、制御部１０７は、超過時間ｔの計測値をリセットする。
ステップＳ４２１において、制御部１０７は、放電制御部１７４の処理により蓄電池８３０の充電電力を家電機器８００へ放電させる。
【００５３】
ステップＳ４２３において、制御部１０７は、超過時間ｔが、猶予時間情報１６１に示される猶予時間に達しつつあるか否かを判定する。すなわち、制御部１０７は、超過時間ｔが、猶予時間情報１６１に示される猶予時間の長さの一定割合（例えば、猶予時間の長さの６／７）に達したか否かを判定する。ステップＳ４２３において、制御部１０７は、超過時間ｔが、猶予時間の長さに達した場合（ステップＳ４２３においてＹＥＳ）、ステップＳ４２５の処理を行い、そうでない場合（ステップＳ４２３においてＮＯ）、ステップＳ４２７の処理を行う。
【００５４】
ステップＳ４２５において、制御部１０７は、家電機器８００の消費電力を抑制させるための制御信号を家電機器８００へ送信する。また、制御部１０７は、報知部１０９に発光、音声出力等を行わせて、ユーザに対し、家電機器８００の消費電力を低減させるための報知を行う。
【００５５】
ステップＳ４２７において、制御部１０７は、超過時間ｔの計測値を、例えばカウントアップすることで更新する。
【００５６】
このように、系統からの電力が閾値を超過している場合（ステップＳ４０１においてＹＥＳ）、遮断制御装置１０は、ステップＳ４００に示す各処理を行うことにより、超過時間ｔが猶予時間に達するまでは、蓄電池８３０の放電によって家電機器８００へ電力を供給する（ステップＳ４２１）ことで、電力の需要家に対し、電力をより多く利用させることを可能とする。また、遮断制御装置１０は、超過時間ｔが猶予時間の長さに近づくにつれて（ステップＳ４２３においてＹＥＳ）、家電機器８００の電気負荷を低減させるための処理、または報知部１０９によるユーザへの報知を行うことで、系統からの電力が閾値を下回る可能性を高めることができる。すなわち、通電遮断がなされる前に、系統の送配電網の負荷軽減につながる処理をすることができ、施設２０Ａにおいて電力を継続して利用できる可能性を高めることができる。また、超過時間ｔが猶予時間を超えると、通電を遮断することで、系統の送配電網の負荷を軽減することができる。
【００５７】
系統から電気負荷へ供給される電力が閾値を超えない場合（ステップＳ４０１においてＮＯ）、遮断制御装置１０は、ステップＳ４４１、Ｓ４４３およびＳ４４５の各処理を行う。
【００５８】
ステップＳ４４１において、制御部１０７は、蓄電池８３０の充電電力を家電機器８００に対して強制的に放電している場合（ステップＳ４２１）、強制的な放電を停止する。
【００５９】
ステップＳ４４３において、制御部１０７は、家電機器８００等の電気負荷を抑制している場合（ステップＳ４２５）、抑制を解除するための制御信号を電気負荷へ出力する。また、制御部１０７は、家電機器８００等の電気負荷を抑制するため、報知部１０９によってユーザへ報知している場合、ユーザへの報知を停止するための制御信号を報知部１０９へ出力する。
【００６０】
ステップＳ４４５において、制御部１０７は、超過時間ｔの計測値をリセットする。
図５から図７を参照して、図４で示した各処理について、具体的な例を用いて詳しく説明する。
【００６１】
図５は、系統からの電力が閾値を超えた場合に、蓄電池８３０から電気負荷へ放電することで、系統からの電力を閾値以下に抑える例を示す図である。
【００６２】
図５において、縦軸は、系統から施設２０Ａの電気負荷へ供給される電力（買電力）を示し、横軸は、経過時間を示す。ピーク電力Ｅｐは、時点ｔ１１〜ｔ２６における電気負荷のピーク時の電力の大きさを示す。電力閾値情報Ｅｔｈは、電力供給事業者１００によって、遮断制御装置１０に対し、逐次設定される電力閾値情報１６２を示す。
【００６３】
図５に示すように、時間の経過とともに、電力供給事業者１００から電力閾値情報１６２が送信されることにより、遮断制御装置１０がステップＳ４０１において系統からの電力と比較する対象となる電力閾値情報１６２が刻一刻と変化している。時点ｔ２４において、系統からの電力が、電力閾値情報１６２に示される閾値を超えている（ステップＳ４０１においてＹＥＳ）。この場合、遮断制御装置１０は、蓄電池８３０の充電電力を、家電機器８００等の電気負荷に対して放電させている（ステップＳ４２１）。これにより、当該時点２４に続く時点２５では、系統からの電力を閾値以下に抑えている。
【００６４】
図６は、系統からの電力が閾値を超えた場合に、蓄電池８３０から電気負荷へ放電し、家電機器８００等の負荷を抑制することで、系統からの電力を閾値以下に抑える例を示す図である。
【００６５】
図６に示すように、時点ｔ２３において、系統からの電力が、電力閾値情報１６２に示される閾値を超えている（ステップＳ４０１においてＹＥＳ）。この場合、遮断制御装置１０は、蓄電池８３０の充電電力を、家電機器８００等の電気負荷に対して放電させている（ステップＳ４２１）。その後、系統からの電力が閾値を超えている超過時間ｔが、猶予時間情報１６１に示される猶予時間の一定割合に達すると、遮断制御装置１０は、蓄電池８３０の放電だけでは系統からの電力を閾値に抑えることができなかったため、時点ｔ２４において、家電機器８００等の電気負荷の消費電力を抑制させる処理を行う。これにより、当該時点ｔ２４に続く時点２５では、系統からの電力を閾値以下に抑えている。
【００６６】
図７は、系統からの電力が閾値を超えた場合に、施設２０Ａにおける消費電力を系統からの電力によってまかなうことができず、通電を遮断する例を示す図である。
【００６７】
図７に示すように、時点ｔ２３において、系統からの電力が、電力閾値情報１６２に示される閾値を超えている（ステップＳ４０１においてＹＥＳ）。その後、蓄電池８３０の放電および家電機器８００等の電気負荷の消費電力抑制によっても系統からの電力が閾値を超え、超過時間ｔが猶予時間を超えたとする。この場合、時点ｔ２４と時点ｔ２５とに示すように、遮断制御装置１０は、電磁遮断回路２０３により通電を遮断する。その後、電力供給事業者１００が施設２０Ａに対して設定する電力閾値情報１６２が緩和されること等により、時点ｔ２６において、施設２０Ａにおける停電が自動的に復旧している。なお、停電が自動的に復帰するまでの間であっても、遮断制御装置１０は、手動によって停電を復帰させる操作をユーザから受け付けている。
【００６８】
＜実施の形態２＞
別の実施の形態について説明する。実施の形態２の電力制御システムは、系統から施設２０Ａの電気負荷へ供給される電力と比較するための閾値を、複数、記憶しており、これら複数の閾値と、系統から電気負荷へ供給される電力とを比較する。
【００６９】
図８は、実施の形態２における記憶部１０６に記憶される電力閾値テーブル１６０のデータ構造を示す図である。
【００７０】
実施の形態２において、記憶部１０６は、複数の閾値を記憶する。具体的には、記憶部１０６は、電力閾値テーブル１６０Ｂと、電力閾値テーブル１６０Ｃとの複数のテーブルを記憶している。例えば、電力の需要家と、電力供給事業者との契約により、電力閾値テーブル１６０Ｂと電力閾値テーブル１６０Ｃとを切り替えて使用することができるとしてもよい。
【００７１】
また、電力閾値テーブル１６０Ｂおよび電力閾値テーブル１６０Ｃのそれぞれのテーブルにおいても、複数の猶予時間情報１６１と電力閾値情報１６２との組が対応付けられている。図８に示すように、電力閾値情報１６２に対応付けられる猶予時間情報１６１の長さが、電力閾値情報１６２に応じて異なることがある。遮断制御装置１０は、これら複数の電力閾値情報１６２のそれぞれについて、図４に示すステップＳ４００の処理を行う。
【００７２】
図９は、複数の閾値を用いて、系統から電気負荷へ供給される電力の供給または遮断を行うための処理を示すフローチャートである。図９の例では、電力閾値情報１６２として、第１の閾値（閾値Ａ）と、第２の閾値（閾値Ｂ）とを用いて遮断制御装置１０が電力の供給または遮断を行う処理について説明する。
【００７３】
ステップＳ４０１Ａにおいて、制御部１０７は、電力閾値情報１６２について、第１の閾値（閾値Ａ）と、系統から施設２０Ａの電気負荷へ供給される電力の大きさに関する電力情報とを比較し、系統からの電力が、第１の閾値を超過しているか否かを判断する。系統からの電力が第１の閾値を超過している場合（ステップＳ４０１ＡにおいてＹＥＳ）、制御部１０７は、第１の閾値と対応付けられた猶予時間情報１６１に基づいてステップＳ４００の処理を行い、そうでない場合（ステップＳ４０１ＡにおいてＮＯ）、第２の閾値と、系統からの電力とを比較する処理を行う（ステップＳ４０１Ｂ）。
【００７４】
ステップＳ４０１Ｂにおいて、制御部１０７は、電力閾値情報１６２について、第２の閾値（閾値Ｂ）と、電力情報とを比較し、系統からの電力が、第２の閾値を超過しているか否かを判断する。系統からの電力が第２の閾値を超過している場合（ステップＳ４０１ＢにおいてＹＥＳ）、制御部１０７は、第２の閾値と対応付けられた猶予時間情報１６１に基づいてステップＳ４００の処理を行い、そうでない場合（ステップＳ４０１ＢにおいてＮＯ）、ステップＳ４４１、Ｓ４４３およびＳ４４５の処理を行う。
【００７５】
系統から電気負荷へ供給される電力が、ブレーカ装置について規定された定格値を超える度合に応じて、ブレーカ装置が系統からの通電を遮断するまでの時間が異なることがある。そのため、実施の形態２の遮断制御装置１０によると、複数の閾値と、系統から供給される電力の大きさに関する電力情報とを比較することにより、系統の送配電網への負荷の大きさに応じて、系統から電気負荷へ供給される電力の供給または遮断を制御することができる。したがって、電力供給事業者による電力の供給をいっそう安定化させることができる。
【００７６】
なお、実施の形態２では、系統から電気負荷へ供給される電力の大きさを示す電力情報と比較する閾値の数が２つの場合を説明したが、２つに限られない。
【００７７】
＜実施の形態３＞
別の実施の形態について説明する。図１０は、実施の形態３の電力制御システム２を構成する遮断制御装置１１および電子ブレーカ１２を示すブロック図である。
【００７８】
実施の形態１の電力制御システム１と比較すると、実施の形態３では、遮断制御装置１１と電子ブレーカ１２とが連携することで各機能を発揮する。遮断制御装置１１は、電力供給事業者１００から猶予時間情報１６１および電力閾値情報１６２を受信する閾値情報更新部１７１の機能と、系統からの電力が閾値を超える場合に蓄電池８３０を強制的に放電させる放電制御部１７４の機能と、電気負荷の消費電力を抑制させるための抑制制御部１７５の機能とを有する。電子ブレーカ１２は、閾値超過判定部１７２の機能と、遮断制御部１７３の機能とを有する。
【００７９】
電子ブレーカ１２は、遮断制御装置１１と接続しており、遮断制御装置１１が電力供給事業者１００から受信する閾値および猶予時間を示す情報を遮断制御装置１１から受信して、記憶部１０６に猶予時間情報１６１および電力閾値情報１６２として記憶させる。
【００８０】
このように構成された電力制御システム２は、例えば、既にパワーコンディショナ８２０と蓄電池８３０と電子ブレーカ１２とが施設に設置されている場合に、遮断制御装置１１を新たに設置することで、電力制御システム２の機能を発揮させることができる。また、電力の需要家が新たに施設を稼働させる場合に、電子ブレーカ１２と遮断制御装置１１とを組み合わせた構成を提案することで、需要家の電力料金を低減させつつ、電力供給事業者の制御に応じて、電力をより多く利用させることができる。
【００８１】
＜実施の形態４＞
別の実施の形態について説明する。実施の形態１では、図４に示すように、遮断制御装置１０の制御部１０７は、超過時間ｔが、猶予時間の長さに達した場合（ステップＳ４２３においてＹＥＳ）、家電機器８００の消費電力を抑制させる処理および報知部１０９によるユーザに対する報知処理とを行う（ステップＳ４２５）ものとして説明した。
【００８２】
この他に、遮断制御装置１０が家電機器８００の消費電力を抑制させる処理により、系統から家電機器８００等の電気負荷へ供給される電力を、電力閾値情報１６２に示される閾値に収められるか否かに応じて、ユーザに対する報知を行うものとしてもよい。
【００８３】
図１１は、実施の形態４の遮断制御装置１０が、家電機器８００の負荷を抑制する処理と、ユーザに対する報知を行う処理とを示すフローチャートである。遮断制御装置１０は、実施の形態１で図４を用いて説明したステップＳ４２５の処理に代えて、図１１に示す処理を行うことができる。
【００８４】
ステップＳ４２５１において、制御部１０７は、家電機器８００の消費電力を抑制させるための制御信号を家電機器８００へ出力する。
【００８５】
ステップＳ４２５３において、制御部１０７は、系統から施設２０Ａの電気負荷（家電機器８００等）へ供給される電力の大きさに関する電力情報を取得する。
【００８６】
ステップＳ４２５５において、制御部１０７は、系統からの電力が、電力閾値情報１６２に示される閾値を超過しているか否かを判断する。ステップＳ４２５５において、系統からの電力が閾値を超過している場合（ステップＳ４２５５においてＹＥＳ）、制御部１０７は、ステップＳ４２５７の処理を行い、そうでない場合（ステップＳ４２５５においてＮＯ）、処理を終えて図４に示すステップＳ４２７の処理を行う。
【００８７】
ステップＳ４２５７において、制御部１０７は、報知部１０９に発光、音声出力等を行わせて、ユーザに対し、家電機器８００の消費電力を低減させるための報知を行う。
【００８８】
このように遮断制御装置１０は、家電機器８００の負荷の低減によって、系統の送配電網の負荷を軽減できる場合はユーザに対して通知を行わず、家電機器８００の負荷の低減によっては系統の送配電網の負荷を軽減できない場合にユーザに対して報知部１０９による報知を行う。これにより、遮断制御装置１０は、ユーザに過度に負荷低減の報知を行うことなく、系統の送配電網の負荷を軽減することができ、ユーザにとっての利便性が高まる。
【００８９】
＜実施の形態５＞
別の実施の形態について説明する。実施の形態４において、遮断制御装置１０が家電機器８００の消費電力を抑制させる処理により、系統から家電機器８００等の電気負荷へ供給される電力を、電力閾値情報１６２に示される閾値に収められるか否かに応じて、ユーザに対する報知を行うものとして説明した。
【００９０】
この他に、遮断制御装置１０は、家電機器８００の負荷の抑制量を推定して、家電機器８００の負荷の抑制によっても、系統からの電力が閾値を超過していると見込まれる場合に、ユーザに対する報知をすることとしてもよい。
【００９１】
図１２は、実施の形態５の遮断制御装置１０が、家電機器８００の負荷の抑制量を推定し、推定結果に基づいて、ユーザに対する報知を行う処理を示すフローチャートである。遮断制御装置１０は、実施の形態１で図４を用いて説明したステップＳ４２５の処理に代えて、図１２に示す処理を行うことができる。
【００９２】
ステップＳ４２５０において、制御部１０７は、系統から施設２０Ａの電気負荷へ供給される電力の大きさに関する電力情報と、電力閾値情報１６２に示される閾値との差分を演算することにより、系統から電気負荷へ供給される電力が閾値を超過している超過量を算出する。
【００９３】
ステップＳ４２５４において、制御部１０７は、家電機器８００の負荷の抑制によって、消費電力を削減することができる量の推定値を算出する。例えば、制御部１０７は、エアコンディショナ８０１の消費電力が５００ワット（Ｗ）である場合に、エアコンディショナ８０１の消費電力の履歴等に基づいて、負荷を抑制することで例えば１００ワット（Ｗ）の消費電力を削減することができると推定する。
【００９４】
ステップＳ４２５６において、制御部１０７は、家電機器８００の負荷の抑制によって消費電力を削減可能と推定される推定値に基づいて、家電機器８００の負荷の抑制によりステップＳ４２５０で算出される超過量を解消すると見込まれるか否かを判断する。すなわち、制御部１０７は、消費電力を削減可能と推定される推定値と、超過量とを比較して、推定値が超過量より大きいか否かを判断する。制御部１０７は、家電機器８００の負荷の抑制によって、超過量を解消できると判断した場合（ステップＳ４２５６においてＹＥＳ、推定値が超過量より大きい場合）、処理を終了してステップＳ４２７の処理を行い、そうでない場合（ステップＳ４２５６においてＮＯ）、ステップＳ４２５７の処理を行う。
【００９５】
このように遮断制御装置１０は、家電機器８００の負荷の抑制による消費電力の削減量を推定し、推定結果に基づいて、系統の送配電網の負荷を軽減できると見込まれる場合はユーザに対して通知を行わず、家電機器８００の負荷の低減によっては系統の送配電網の負荷を軽減できないと見込まれる場合にユーザに対して報知部１０９による報知を行う。これにより、遮断制御装置１０は、ユーザに過度に負荷低減の報知を行うことなく、系統の送配電網の負荷を軽減することができ、ユーザにとっての利便性が高まる。
【００９６】
本実施の形態に係る電力制御システムは、プロセッサと、その上で実行されるプログラムにより実現される。本実施の形態を実現するプログラムは、通信インタフェースを介してネットワークを利用した送受信等により提供される。
【００９７】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００９８】
１，２  電力制御システム、１０，１１  遮断制御装置、１２  電子ブレーカ、１００  電力供給事業者、１０２  通信部、１０３  入出力Ｉ／Ｆ、１０４  入出力Ｉ／Ｆ、１０５  入出力Ｉ／Ｆ、１０６  記憶部、１０７  制御部、１６０  電力閾値テーブル、１６１  猶予時間情報、１６２  電力閾値情報、１７１  閾値情報更新部、１７２  閾値超過判定部、１７３  遮断制御部、１７４  放電制御部、１７５  抑制制御部、１０９  報知部、２０１  バイメタル遮断回路、２０２  電力センサ、２０３  電磁遮断回路、８００  家電機器、８０１  エアコンディショナ、８０２  空気清浄機、８０３  冷蔵庫、８０４  洗濯機、８１０  太陽電池モジュール、８２０  パワーコンディショナ、８３０  蓄電池、８７０  多回路ＣＴセンサ、８８０  タップ。
【図１】
2016073003.tif 000003
【図２】
2016073003.tif 000004
【図３】
2016073003.tif 000005
【図４】
2016073003.tif 000006
【図５】
2016073003.tif 000007
【図６】
2016073003.tif 000008
【図７】
2016073003.tif 000009
【図８】
2016073003.tif 000010
【図９】
2016073003.tif 000011
【図１０】
2016073003.tif 000012
【図１１】
2016073003.tif 000013
【図１２】
2016073003.tif 000014